(57)【要約】【課題】  日常化したデータ転送に対しては、その効率化をはかることが重要であり、従来の技術では、データ転送への負担を軽減することができなかった。  また、同一データを転送するだけであり、転送後、データの変更・加工を必要とする場合、その作業を受け取った側で行わなければならなかった。【解決手段】  多拠点間でデータを転送する際に、送信・管理・受信用コンピュータを設け、ネットワーク接続上の問題点を解決した。また、本発明に受信モード・データ変換機能を持たせることで、データ転送における利用者への負荷軽減と、全体としての作業工数の削減をはかり、データ転送作業上の誤りを減少することができた。【選択図】  図１
2010102631.tif 000002
【特許請求の範囲】
【請求項１】
ネットワークで接続されたコンピュータ間でデータを転送する多拠点間データ転送装置であって、
転送対象である送信データを保持するコンピュータ上から、前記送信データを送信する送信手段と、
前記送信手段を含むコンピュータとネットワークで接続されたコンピュータ上にあって、前記送信手段により送信した前記送信データを受信し、その前記送信データを管理データとして管理する管理手段と、
前記管理手段を含むコンピュータとネットワークで接続されたコンピュータ上にあって、前記管理手段により管理する前記管理データの中から必要なデータを受信する受信手段とを具備したことを特徴とする多拠点間データ転送装置。
【請求項２】
前記送信手段は、ネットワークで接続する前記管理手段を含むコンピュータに、前記送信データの情報通知を依頼する通知依頼手段と、
前記通知依頼手段によって、前記送信データの情報を獲得する通知獲得手段と、
前記通知獲得手段による情報にもとづき、前記送信データを前記管理手段へ送信する送信情報送信手段を備えることを特徴とする請求項１に記載の多拠点間データ転送装置。
【請求項３】
前記管理手段は、前記送信手段が通知する通知依頼に対して、通知内容を判断し、対応する前記送信データに関する情報を返信する送信通知返信手段と、
前記送信情報送信手段が送信する前記送信データを受信し、前記送信データを前記管理手段を含むコンピュータ上の管理データとする送信データ受信手段と、
前記管理データの情報を表示する管理データ表示手段と、
ネットワークで接続するコンピュータ上にあって、前記受信手段の対象として、アクセスキーを発行する受信確認手段と、
前記管理データを前記管理手段の管理対象から削除する削除手段を備えることを特徴とする請求項１に記載の多拠点間データ転送装置。
【請求項４】
前記受信確認手段は、前記管理データの詳細情報を表示する詳細情報表示手段と、
前記受信手段における受信を可能にするアクセスキーを発行するアクセスキー発行手段とを備えることを特徴とする請求項３に記載の多拠点間データ転送装置。
【請求項５】
前記受信手段は、ネットワークで接統する前記管理手段を含むコンピュータ上にある前記管理データの中から、必要なデータを受信するために情報入力する受信情報入力手段と、
前記受信情報入力手段における入力情報を前記管理手段を含むコンピュータヘ通知し、その結果とし、受信データに関する情報を獲得する受信データ受信手段とを備えることを特徴とする請求項１に記載の多拠点間データ転送装置。
【請求項６】
前記受信情報入力手段は、前記受信データを獲得する受信者を限定するログイン名と、前記アクセスキー発行手段で得られるアクセスキーによって、対象となる前記管理データが決定することを特徴とする請求項５に記載の多拠点問データ転送装置。
【請求項７】
前記受信情報入力手段は、多拠点毎の特徴として、必要な前記受信データを抽象化した受信モードを入力することにより、前記管理データの中から、必要な前記受信データを限定することを特徴とする請求項５に記載の多拠点間データ転送装置。
【請求項８】
前記受信情報入力手段は、前記受信モードによって限定された受信データを表示することを特徴とする請求項５に記載の多拠点間データ転送装置。
【請求項９】
前記受信情報入力手段は、前記受信データを表示している状態で、再度前記受信モードを変更した場合、新たに変更した前記受信モード従って、前記受信データを再表示することを特徴とする請求項５に記載の多拠点間データ転送装置。
【請求項１０】
前記受信データ受信手段は、ネットワークで接続する前記管理手段を含むコンピュータ上にある前記管理データの任意の管理ファイルと、前記受信データの任意の受信ファイルの繋がりが前記管理手段で明確である場合、前記管理ファイルと前記受信ファイルの繋がりに対応する処理を施すことで、前記管理ファイルに対する処理結果として前記受信ファイルを受信することを特徴とする請求項５に記載の多拠点間データ転送装置。
【請求項１１】
前記受信データ受信手段は、前記管理手段から獲得する受信方法に従って、前記受信データを受信することを特徴とする請求項５に記載の多拠点間データ転送装置。
【発明の詳細な説明】
【技術分野】
【０００１】
本発明は、ネットワークで接続されるコンピュータ間のデータ転送装置および方法に関するものである。
【背景技術】
【０００２】
近年、ネットワークを介したコンピュータ間でのデータ転送は、その方法が多岐にわたるだけでなく、転送するデータ量の増大など問題を抱えながらも、頻繁に行なわれている。
【０００３】
代表的な例として、ＵＮＩＫ（登録商標）ＯＳを使用するコンピュータ上で使用するｆｔｐコマンドがある。ｆｔｐコマンドは、一番原始的な方法を用い、ネットワークで接続するコンピュータ間でのデータ転送を実現している。
【０００４】
ｆｔｐコマンドまたは、それ以外の市販データ転送ツールにおいても、その転送方法は変わらず、送信側コンピュータと、受信側コンピュータのネットワーク接続をもとに、１：１もしくは、１：Ｎでの転送が、リアルタイムで行なわれている。
【特許文献１】特開平５−３７５５１号公報
【特許文献２】特開平１０−７０５３４号公報
【発明の開示】
【発明が解決しようとする課題】
【０００５】
このように従来の技術では、ネットワーク的繋がりのないコンピュータ同士のデータ転送を実現することはできなかった。
【０００６】
また、日常化したデータ転送に対しては、その効率化をはかることが重要であり、従来の技術では、データ転送への負担を軽減することができなかった。
【０００７】
また、従来の技術では、同一データを転送するだけであり、転送後、データの変更・加工を必要とする場合、その作業を受け取った側で行わなければならなかった。
【０００８】
本発明は、コンピュータ間のデータ転送におけるネットワーク接続上の問題を解決するだけでなく、データ転送における送信者・受信者への負荷の軽減と、作業工数の削減をはかり、また、データ転送作業上の誤りを減少させることを目的とする。
【課題を解決するための手段】
【０００９】
上記の目的を達成するために、本発明の多拠点間データ転送装置は、
コンピュータ間でデータを転送する多拠点間データ転送装置であって、
転送対象である送信データを保持するコンピュータ上から、前記送信データを送信する送信手段と、
前記送信手段を含むコンピュータとネットワークで接続されたコンピュータ上にあって、前記送信手段により送信した前記送信データを受信し、その前記送信データを管理データとして管理する管理手段と、
前記管理手段を含むコンピュータとネットワークで接続されたコンピュータ上にあって、前記管理手段により管理する前記管理データの中から必要なデータを受信する受信手段とを設けた。
【００１０】
また、好ましくは、
前記送信データの情報通知を依頼する通知依頼手段と、
前記送信データの情報を獲得する通知獲得手段と、
前記送信手段が通知する通知依頼に対して、通知内容を判断し、対応する前記送信データに関する情報を返信する送信通知返信手段と、
前記送信データを受信し、前記送信データを前記管理手段を含むコンピュータ上の管理データとする送信データ受信手段と、
前記管理データの情報を表示する管理データ表示手段と、
前記受信手段の対象として、アクセスキーを発行する受信確認手段と、
前記管理データの詳細情報を表示する詳細情報表示手段と、
前記受信手段における受信を可能にするアクセスキーを発行するアクセスキー発行手段と
を更に設けた。
【００１１】
また、好ましくは、
前記管理データの中から、必要なデータを受信するために情報入力する受信情報入力手段と、
前記受信情報入力手段における入力情報を前記管理手段を含むコンピュータヘ通知し、その結果とし、受信データに関する情報を獲得する受信データ受信手段と
を更に設けた。
【発明の効果】
【００１２】
以上詳述したように、本発明によれば、情報化の進展によって複雑化する多拠点間を介するコンピュータ上のデータ転送に対して、従来よりも厳密に、そして効率性を重視して、実現することが可能となる。
【００１３】
また、送信用・管理用・受信用の３つの役割を持つコンピュータを設けることにより、転送対象である送信用コンピュータと受信用コンピュータ間のネットワーク的接続を考慮せずにデータ転送を実現でき、さらには、送信・受信操作それぞれにおいて連続しでデータを送信・受信する効果がある。
【００１４】
また、受信モードを設けることにより、必要なデータだけを抽出でき、時間と資源の削減になるという効果がある。
【００１５】
また、受信時にデータ変換を可能にすることにより、受信後に行なう操作の無駄を無くすという効果がある。
【００１６】
このように、本実施の形態によれば、データ転送という操作を３つの役割に分け、独立して操作可能にすることにより、データ転送における作業を容易に、そして効率良く行なえるという効果がある。
【発明を実施するための最良の形態】
【００１７】
次に本発明の詳細を実施例の記述に従って説明する。
【００１８】
（多拠点間データ転送装置のハードウエア構成）
まず、本発明に係る多拠点間データ転送装置のハードウエア構成について、図１のハードウエア構成図を用い、詳しく説明する。
【００１９】
図１において、ハードウエア構成図全体で、多拠点間データ転送装置１０１を表す。１０２はデータ送信用コンピュータであり、多拠点間データ転送装置において転送データを確定したり、後述するデータ管理装置１０９との間で転送データを送信するコンピュータである。ここで、転送データは本システム内の送受信対象となるデータ全体を示す用語として定義する。
【００２０】
１０９はデータ管理用コンピュータであり、データ送信用コンピュータ１０２との間で行なうデータ通信と、データ送信用コンピュータ１０２が送信する転送データの保存・管理と、後述するアクセスキー発行と、データ受信用コンピュータ１１０への転送データの送信を実現する装置である。
【００２１】
１１０はデータ受信用コンピュータであり、受信データを確定する受信情報の入力・確定と、データ管理用コンピュータ１０９から転送データを受信する装置である。
【００２２】
１１１はネットワークであり、データ送信用コンピュータ１０２・データ管理用コンピュータ１０９・データ受信用コンピュータ１１０など、コンピュータ間の各種データが流れる経路であり、例えば１０ＢａｓｅＴなどの電送線路がこれにあたる。
【００２３】
なお、図１で提示したハードウエア構成図は、本システムの運用上の典型的な例であり、それ以外の運用上の例として、図２のハードウエア構成図２を紹介する。
【００２４】
図２のハードウエア構成図も本システムの特徴の１つであり、データ送信用コンピュータ１０２と、データ受信用コンピュータ１１０がネットワーク的に接続していなくても、それぞれがデータ管理用コンピュータ１０９と接続していることにより、データ送信用コンピュータ１０２から、データ受信用コンピュータにデータ転送が可能となる。
【００２５】
もちろん、図２における各コンピュータと、図１のコンピュータは、同じ構成・能力を持っているものとする。
【００２６】
ここからは、図１における各コンピュータの詳細なハードウエア構成について、説明する。
【００２７】
１０３は表示部であり、後述する入力部１０８から入力された種々の情報を表示するためのものであり、ＣＲＴディスプレイがその１つとして挙げられる。利用者（コンピュータを使う人を指す）は、この表示部１０３を見ることによって、本発明を実施するツール等その動作と結果を確認できる。特に、本発明において表示部１０３は、何が行われているのか、また、ユーザの作業判断のための情報提供として、非常に重要である。
【００２８】
１０４はＣＰＵであり、後述する入力部１０８から受け取った電子情報に基づき、後述する記憶装置１０６に記憶されたツールの実行や、後述するＲＡＭ１０５に対してデータの読み込みや書き込みを行う。
【００２９】
１０５はＲＡＭであり、ＣＰＵ１０４からのデータを記憶する。
【００３０】
１０６は記憶装置であり、ハードディスク装置・ＲＯＭなどのメモリから構成される。記憶装置１０６は、ツール群が格納されており、これらのツールは、ＣＰＵ１０４によって実行される。また、ツール実行において使用されるデータや、ＣＰＵ１０４の処理によって生成されたデータ等も記憶装置１０６に記憶される。
【００３１】
１０７はネットワーク制御部であり、ネットワーク１１１とコンピュータとのインターフェースとなる。ネットワーク制御部１０７では、ＣＰＵ１０４の指示で伝送するデータをネットワーク１１１特有のプロトコルに変換する。もちろん、伝送されたデータを受信する時は、先ほどの逆変換により、ＣＰＵ１０４が認識できる情報へと変換する。
【００３２】
１０８は入力部であり、キーボードやマウスなどから構成される。また、コンピュータは入力部１０８から受け取った電子情報に基づき、記憶装置１０６に記憶されたツールの実行や、データの読み込みや書き込みを行う。
【００３３】
以上、多拠点間データ転送装置１０１のハードウエア構成であり、ユーザの所望の操作によって、各構成要素間、各コンピュータ間でデータのやり取りが行なわれ、対象物であるデータを転送する。
【００３４】
（多拠点間データ転送装置のソフトウエア構成）
図３は、多拠点間データ転送装置のソフトウエア構成図である。この図を用いて、多拠点間データ転送装置で利用する各ツールの概要について説明する。
【００３５】
３０１は情報入力ツールであり、後述する送信ツール３０２へ送信情報を提供するツールである。情報入力ツール３０１から提供する送信情報は、後述する送信データ３０７に納められる転送データの情報や、管理サーバツールを特定する情報など、後述する送信ツール３０２が、後述する管理サーバツール３０３とデータ通信するために必要なものである。なお、情報入力ツール３０１は、状況によっては省略することが可能であり、その際、送信ツール３０２は必要な情報を引数として獲得する。
【００３６】
３０２は送信ツールであり、情報入力ツール３０１からの情報を元に、後述する管理サーバツール３０３との間で、データ通信を行なう。このデータ通信では、送信データ３０７の確定や、転送対象であるデータの送信作業を行なう。データ通信の前処理としては、記憶装置１０６に納められる送信データ３０７の存在確認や、データ読み込みを行ない、データ通信を実現する。
【００３７】
３０３は管理サーバツールであり、送信ツール３０２との間で、先に挙げるデータ通信を行ない、受け取った送信データを管理データとして、後述する管理Ｄ／Ｂ ３０８へ格納する。また、データ通信の際には、予め後述する管理情報３１０に納めるデータを読み込み、送信ツールヘの情報提供も行なう。
【００３８】
３０４は管理ツールであり、管理Ｄ／Ｂ ３０８を管理する管理者（管理用コンピュータ１０９の利用者）がＷＷＷブラウザ３０６を介して、管理データを確認・アクセスキーの発行・削除を実行することを可能にする。ここで管理データの確認は、表示部１０３上に管理データを表示し、視覚的に管理データを捉えることである。また、アクセスキーの発行は、管理者が確認した管理データに対して、受信するための条件を満たしていると判断することで実行する作業であり、管理データを受信する鍵となるコードを与えることである。また、削除は管理Ｄ／Ｂ３０８に管理する管理データを管理対象から外す作業である。なお、管理ツール３０４では、管理情報３１０の読み込みも行ない、その情報から管理ツール３０４を制御する。なお、管理データの定義については後述する。
【００３９】
３０５は受信ツールであり、転送データを受信する受信者（受信用コンピュータ１１０の利用者）がＷＷＷブラウザ３０６を介して、管理Ｄ／Ｂ ３０８から管理データを受信データとして、獲得するツールである。また、受信ツールは管理情報３１０を読み込み、受信する処理に必要な情報を獲得し、管理データから必要なデータだけを獲得する受信モードの情報や、受信時に管理データに加える変換・変更情報を管理情報から獲得し、それに対応する処理を実行する。
【００４０】
３０６はＷＷＷブラウザであり、ＨＴＭＬ（Ｈｙｐｅｒ  Ｔｅｘｔ  Ｍａｒｋｕｐ  Ｌａｎｇｕａｇｅ）等特殊言語で記載された情報を読み込み、画面表示するツールである。
【００４１】
３０７は送信データであり、送信用コンピュータ１０２で保持する転送データを指す。多拠点間データ転送装置１０１の実施形態の１つとして、特にＣＡＤツールが設計時に作成するデータがこれにあたる。
【００４２】
３０８は管理Ｄ／Ｂであり、送信ツール３０２と管理サーバツール３０３のデータ通信によって、獲得した転送データを、送信データ３０７で保持する構造と同一の体系で、データを格納したＤ／Ｂである。
【００４３】
３０９は受信データであり、受信ツール３０５が管理Ｄ／Ｂから所定の受信モードにて、獲得する転送データである。多拠点間データ転送装置１０１の獲得目的のデータでもある。
【００４４】
３１０は管理情報であり、転送データの情報や、管理・受信時の情報など、本システムの情報源である。
【００４５】
また、ここで多拠点間データ転送装置１０１で扱うデータに関して図４を用いて説明する。
【００４６】
３１１は管理データであり、送信ツール３０２の１回の操作で転送する送信データ３０７を、管理用コンピュータ１０９上の管理対象とした際の名称であり、管理Ｄ／Ｂ ３０８の構成元となる単位である。
【００４７】
次に本文では、多拠点間データ転送装置１０１おいて、転送対象となるデータを総称して転送データと定義する。したがって、前述する送信データ３０７・管理Ｄ／Ｂ ３０８受信データ３０９・管理データ３１１も、転送データの１つとして考えていく。
【００４８】
（基本的な処理手順）
多拠点間データ転送装置１０１の基本的な処理の流れを図５を用いて説明する。
【００４９】
図５において、開始５００から終了５０５のステップを順次実行することで、送信用コンピュータ１０２から受信用コンピュータ１１０へのデータ転送が実現できる。各操作について詳細に説明する。
【００５０】
５０１は、送信操作であり、送信用コンピュータ１０２から管理用コンピュータ１０９への転送データの送信に関する操作を表す。送信操作５０１は、図５右の送信情報入力５１０・送信データの確認５１１・データ送信５１２の３つのステップを行なう。
【００５１】
５１０は、データ送信に関する送信情報を入力するステップであり、送信情報の１つとしてディレクトリ情報を決定する。
【００５２】
５１１は、管理用コンピュータ１０９へ送信する転送データをステップ５１０の送信情報を元に確認するステップである。ステップ５１１で確認することの１つとして、送信データが存在確認がある。
【００５３】
５１２は、送信用コンピュータ１０２から管理用コンピュータ１０９との間でデータ通信するステップであり、データ通信として、管理用コンピュータ１０９からの情報獲得や、転送データの送信を行なう。
【００５４】
５０２は、承認操作であり、管理用コンピュータ１０９が管理データを転送データとして、了承する操作を表し、管理データ選択５２０・管理デー一タ承認５２１の２つのステップを行なう。
【００５５】
５２０は、管理データ３１１を選択するステップであり、入力部１０８の操作を伴って管理者が判断するステップである。
【００５６】
５２１は、ステップ５２０の選択結果に対して、入力部１０８の操作を伴って、承認するステップである。ステップ５２１の実行で、管理データ３１１は受信可能データとなる。
【００５７】
５０３は、管理用コンピュータ１０９から受信用コンピュータ１１０へ転送データを受信するステップであり、受信情報入力５３０・受信データの確認５３１・データ受信５３２の３つのステップを実行する。
【００５８】
５３０は、転送データを受信するために必要な情報として、管理者名・アクセスキー等を受信者が入力するステップである。
【００５９】
５３１は、受信する転送データを確認するステップであり、受信者が視覚的に判断するステップである。
【００６０】
５３２は、ステップ５３１の確認により、管理者が入力部の操作を伴って、転送データを管理用コンピュータから受信用コンピュータヘ受信するステップである。
【００６１】
５０４は、ステップ５０１で管理Ｄ／Ｂ ３０８に登録した管理データ３１１に対して、ステップ５０３のデータ受信が終了したと管理者が判断する場合に、管理Ｄ／Ｂ ３０８から管理データ３１１を削除するステップであり、管理データ選択５４１・管理データ削除５４２を実行するステップである。
【００６２】
５４１は、ステップ５２０と同様に削除対象とする管理データを管理者が視覚的に判断するステップである。
【００６３】
５４２は、ステップ５４１で削除対象として管理データ３１１に対して、入力部１０８の操作を伴って、管理Ｄ／Ｂ ３０８から削除するステップである。
【００６４】
以上、ステップ５００からステップ５０５の手順により、多拠点間データ転送装置１０１は、多拠点間のデータ転送を実現する。
【００６５】
（第１の実施形態）
本発明の１つの実施形態として、多拠点問データ転送装置１０１を用いたデータ転送について述べる。
【００６６】
［データ送信］
送信者（送信用コンピュータ１０２の利用者）が、データ送信用コンピュータ１０２上の入力部１０８を用い、記憶装置１０６に納めてある情報入力ツール３０１を起動することで、図６に示す情報入力パネル６００が表示部１０３に表示される。情報入力ツール３０１において、データ送信に必要とする情報入力後、［転送する］ボタン６０４を指示することで、送信指示を送信ツール３０２に対して通知し、送信ツール３０２は管理サーバツール３０３とデータ通信することで、データ送信を行なう。
【００６７】
図６は、情報入力パネル６００であり、６０１は、ユニット名を入力するテキストエリアである。ここでユニット名は、多拠点間データ転送における１回の送信操作で扱う転送データの単体を指す。
【００６８】
６０２は、データパスを入力するテキストエリアであり、最上位ディイレクトリから設計データを確定するまでのディレクトリを示す。図６では、ＸＸＸ／ＹＹＹまでがデータパスである。
【００６９】
６０３は、データパスのディレクトリ構成を示すリストであり、入力部１０８を用いて、リスト上のディレクトリを指示することからデータパス６０２設定することも可能である。
【００７０】
６０４は、データ転送を実行するボタンであり、このボタンを入力部１０８で指示することで、送信ツール３０２が起動する。
【００７１】
６０５は、情報入力ツール終了ボタンであり、ボタンを指示することで、情報入力ツールを終了し、表示部１０３に表示する情報入力パネル６００が非表示となる。
【００７２】
次に、情報入力パネル６００実行後行なう送信処理について説明する。
【００７３】
送信ツール３０２は、管理サーバツール３０３と図７に示す関係で通信コマンドのやり取りし、データを送受信する。例えば、管理サーバツール３０３が、＜Ｎａｍｅ＞＝ｔａｎａｋａｈという情報を保持している場合、送信ツール３０２は、管理サーバツール３０３との接続後、＜Ｎａｍｅ＞を獲得するコマンドを管理サーバツール３０３へ送信する。このコマンドを受け取った管理サーバツール３０３は、＜Ｎａｍｅ＞に対応する値、ｔａｎａｋａｈを送信ツール３０２へ返信する。
【００７４】
このようなコマンドの送信と、そのコマンドに対する返信により、送信ツール３０２は、管理サーバツール３０３から必要な情報を獲得し、送信データ３０７の中から転送データを決定する。この時転送データは、まず送信ツール３０２によって圧縮処理が施され、その後データ転送コマンドと一緒に管理サーバツール３０３へ転送する。
【００７５】
管理サーバツール３０３では、受信した転送データに対して、その転送データのもつディレクトリ構造を維持するように、圧縮を解凍し、データ管理用コンピュータ１０９上の記憶装置１０５、すなわち管理Ｄ／Ｂ内に保持する。
【００７６】
この一連の情報入力ツール３０１、送信ツール３０２、管理サーバツール３０３の各処理により、送信者が行なうデータ送信作業は、終了する。
【００７７】
［データ承認］
図８、図９を用いてデータ承認について詳しく説明する。
【００７８】
管理者が、データ管理用コンピュータ１０９の記憶装置１０５に保持するＷＷＷブラウザを起動する。表示部１０３上にはＷＷＷブラウザが表示され、管理者はＷＷＷブラウザ上に入力部１０８を操作し、記憶装置１０５に保持する管理ツール３０４を呼び出し、表示部１０３に図８のようなログイン画面８００を表示させる。
【００７９】
図８において、８０１は、管理者名を入力するテキストエリアであり、予め管理情報３１０に登録する管理者名を入力する。
【００８０】
８０２は、管理者名に対するパスワードを入力するテキストエリアであり、このパスワードについても、予め管理情報３１０に登録するパスワードとする。
【００８１】
８０３は、［ログイン］ボタンであり、管理者テキスト８０１とパスワードテキスト８０２の入力後、承認操作へのログインを実行するボタンである。
【００８２】
８０４は、承認操作を終了し、表示部１０３上のＷＷＷブラウザ、及び管理ツール８００を終了する［閉じる］ボタンである。
【００８３】
ログイン操作では管理者名・パスワードを入力し、［ログイン］ボタン８０３を指示することにより、管理ツール３０４は、予め読み込んでいる管理情報３１０の情報と入力された管理者名・パスワードの整合を確認し、不整合の場合はエラーメッセージを表示部１０３上に表示し、整合が取れた場合は、管理Ｄ／Ｂ情報を読み込み、表示部１０３上に図９の管理情報画面９００として表示する。
【００８４】
図９の管理情報画面９００について説明する。
【００８５】
図９において、９０１は管理Ｄ／Ｂ情報の再読み込みボタンであり、管理Ｄ／Ｂのデータ情報の読み込みから表示までの一連の操作を再実行するボタンである。
【００８６】
９０２は終了ボタンであり、管理ツールを終了するボタンである。終了時にはＷＷＷブラウザも含め終了し、表示部１０３上から消去する。
【００８７】
９０３は日時を表示する列９０３であり、図９に示す表示方法で日時を表現する。また、表示する日時については、管理Ｄ・Ｂの各管理データで保持する送信実行時間を表示している。もちろん、この表示に関しては任意に変更可能であることは言うまでもない。
【００８８】
９０４はユニット名を表示する列であり、情報入力ツール３０１で入力するユニット名を表示する。
【００８９】
９０５はディレクトリを表示する列であり、ユニット名９０４同様、情報入力ツール３０１で入力するデータパスを表示する。
【００９０】
９０６は送信者名を表示する列であり、ユニット名９０４同様、情報入力ツール３０１で入力する送信者名である。
【００９１】
９０７は後述するデータ受信を可能にする鍵となるアクセスキーを表示する。
【００９２】
９０８は操作ボタンを表示する列であり、［Ｃｈｅｃｋ］ボタン９０９と、［Ｄｅｌｅｔｅ］ボタン９１０から構成し、それぞれの行を操作する有効なボタンとなっている。
【００９３】
ここから承認作業について説明する。まず、ＷＷＷブラウザ上の管理情報９００において、承認対象となるユニット名を含む行に対し、アクセスキー行９０７の入力を確認する。例えば管理情報画面９００の１行目はアクセスキー行９０７の入力されている状態を示し、既に承認作業が終了した状態を示している。アクセスキーが未承認である場合の例は、図９上では、行９１１で示している。管理者による［Ｃｈｅｃｋ］ボタン９０９の指示により、アクセスキーは自動抽出され、未承認だった行９１１のアクセスキー行９０７にアクセスキーが入力される。
【００９４】
なお、承認操作の１つとして、対象とする管理データの詳細データを表示部１０３に表示し、その情報を管理者が視覚的に確認することにより、承認を決定し、アクセスキーを発行する方法もある。さらに、承認／未承認の判断についても、その方法の１つとして、未入力を未承認、アクセスキー行９０７入力を承認として判断しているが、それ以外の方法によって断する方法であってももちろん構わない。
【００９５】
そして、この承認作業により、データ管理用コンピュータ１０９の記憶装置１０６上に保持する管理Ｄ／Ｂ ３０８に、アクセスキー情報が付加され、後述するデータ受信作業を可能とする。
【００９６】
［データ受信］
まず、転送データを受信する受信者は、紙情報、もしくは、電子情報などの手段によって、獲得する転送データのユニット名、アクセスキーを認識している必要がある。
【００９７】
そして、前述する承認作業と同等の方法でＷＷＷブラウザを起動し、同様の操作で受信ツール３０５を読み込むことで表示部１０３上には、図１０の受信ログイン画面１０００が表示される。なお、受信ツール３０５の起動時に際しては、管理情報３１０への読み込みも同時に行なう。
【００９８】
受信、ログイン画面１０００において、１００１は受信者識別コード入力部であり、受信者を判断できる固有値を入力する。
【００９９】
１００２は［ログイン］ボタンであり、受信処理へのログインを実行する。また、受信可能な受信者情報については、予め管理情報３１０が保持している。
【０１００】
１００３は［閉じる］ボタンであり、前述する管理ツール３０４の［閉じる］ボタンと同様に受信ツール３０５を終了する。
【０１０１】
受信ログイン画面１０００では、受信者識別コード入力部１００１に入力した受信者識別コードを判定し、転送データを受信できる受信者かどうかを判別する。判定処理は、［ログイン］ボタン１００２の指示により行なわれ、その結果が、受信者として適切な場合は、次の入力画面へ切り替わり、不適切な場合はエラー画面を表示する。また、受信ログイン画面１０００上の［閉じる］ボタン１００３の指示により、ＷＷＷブラウザを含む受信ツール３０５は、入力部１０３から非表示となる。
【０１０２】
図１１は、アクセスキー・受信モード入力画面１１００であり、受信ログイン画面１０００上のログインの成功によって、表示部１０３へ表示される。また、転送データヘのアクセス許可のためのアクセスキーの指定と、受信モードを指定する画面でもある。なお、アクセスキーは前述の承認操作で発行されたものであり、受信モードは管理Ｄ／Ｂに登録されている転送データの中から、受信データを選定する情報を示したものである。
【０１０３】
図１１において、１１０１はアクセスキー入力部であり、受信者はあらかじめ確認しているアクセスキーを入力部１０８を用い、入力する。
【０１０４】
１１０２は受信モード入力部であり、受信データを選定する。例えば、図１２のように、管理データの中にＡ〜Ｅまでのデータがある場合において、モード１では、Ａ・Ｂ・Ｃを、モード２では、Ａ・Ｂ・Ｄ・Ｅを獲得することを決定する機能を持つ。また、受信モードと受信データを規定する情報は、管理情報３１０の中で定義する。
【０１０５】
１１０３は［アクセス］ボタンであり、［アクセス］ボタン１１０３の指示により、エラー時を除き、受信ツール３０５は受信データ確認画面を表示部１０３へ表示する。
【０１０６】
１１０４は［閉じる］ボタンであり、前述と同様にボタン指示により、ＷＷＷブラウザを含む受信ツール３０５を終了する。
【０１０７】
ここから、アクセスキー・受信モード入力画面１１００の操作について説明する。
【０１０８】
前記、［ログイン］ボタン１００２の指示により受信者を認証した後、表示部１０３へ図１１のアクセスキー・受信モード入力画面１１００を表示する。
【０１０９】
画面表示後、受信者は既存の情報であるアクセスキーをアクセスキー入力部１１０１へ入力し、受信モード入力部１１０２で受信モードを選定後、［アクセス］ボタン１１０３を指示することで、入力したアクセスキーに対応する転送データが、管理Ｄ／Ｂ ３０８に登録されているか確認する。確認後、受信モードに対応するデータを判断し、そのデータが管理Ｄ／Ｂ３０８に存在するか確認する。これまでの処理でエラーがなかった場合には、次の状態へ画面を切り替える。各確認・判断等にエラーが生じた場合には、前述のようにエラー画面を表示する。
【０１１０】
また、［閉じる］ボタン１１０４は、受信ツール３０５の終了ボタンであり、［閉じる］ボタン１１０４の指示により、ＷＷＷブラウザを含む受信ツール３０５は、入力部１０３から非表示となる。
【０１１１】
図１３は、受信データ確認画面１３００であり、前記［アクセス］ボタン１１０３の指示によりアクセスキー／受信モードがエラーなく確認された後、表示部１０３に表示される。
【０１１２】
また、受信データ確認画面１３００は、受信データの確認と、圧縮方法の選定と、受信モードの再設定を可能とする。
【０１１３】
受信データ確認画面１３００において、１３０１は送信情報を表しており、送信ツール３０２によって、転送データと一緒に送信された情報であり、受信者が視覚的に確認する情報の１つである。もちろん表示する情報量については、ツールの設定により変更可能である。
【０１１４】
１３０２は受信データ情報であって、これまでの操作により受信可能となった受信データに対する情報を提供する。詳細な説明を図１４を用いて行なう。図１４は受信データ情報１３０２の部分を拡大して表したものである。
【０１１５】
１４００はデータ状態を示す列であり、データの存在についてその状態を表示する、１４０１は受信データ名称であり、管理情報３１０または、管理Ｄ／Ｂ ３０８から選られる情報である。１４０２はデータパス情報を表示する。データパス情報は、送信ツール３０２のデータ通信で得られる情報と同じである。
【０１１６】
データ状態を示す行１４００の１４０３、１４０４、１４０５は、管理Ｄ／Ｂ３０８にデータが存在するかどうかを表記していて、図１４では、Ｏ：存在する、×：存在しない、
◇：作成可能の３つの状態を表現している（作成可能についての詳細は後述する）。
【０１１７】
また図１３において、１３０３は受信時の受信データの圧縮方法を決定するボタンを含む圧縮方法選択エリアであり、送信情報１３０１、受信データ情報１３０２を受信者が視覚的に確認し、受信データとして適していると判断した場合、圧縮方法選択エリア１３０３に対して入力部１０８を用い、圧縮方法を選定する。なお、図１３の圧縮方法選択エリア１３０３に表記されている「Ｗｉｎｄｏｗｓ（登録商標）」は登録商標である。
【０１１８】
１３０４は［受信スタート］ボタンであり、［受信スタート］ボタン１３０４を指示することで、受信操作を実行する。
【０１１９】
１３０５は［終了］ボタンであり、［終了］ボタン１３０５を入力部１０８を用い指示することで、ＷＷＷブラウザを含めて、受信ツールを終了する。
【０１２０】
１３０６・１３０７・１３０８は、前述するアクセスキー・受信モード入力画面１１００における受信モード入力と、受信データ選定と同じ操作と処理であり、異なる受信データ情報へと変更することが可能である。
【０１２１】
ここから受信データ確認画面１３００を用いた受信操作について、説明する。
【０１２２】
受信データ確認画面１３００において、受信者は送信情報１３０１と、受信データ情報１３０２を視覚的に確認する。もちろん、これは１つの実施例であっで、それ以外の方法によって確認することに問題はない。確認後の判断として、受信すると判断した場合は、圧縮方法選択エリア１３０３を選定し、［受信スタート］ボタン１３０４を指示する。この操作で、管理Ｄ／Ｂ ３０８から受信用コンピュータ１１０上の記憶装置１０５へ、受信データ３０９としてデータを受信する。
【０１２３】
また、受信者による受信データ１３０２の判断結果によっては、受信モード入力エリア１３０６を、前記、受信者の認証と同様の操作で変更し、アクセスボタン１３０７を指示する。指示後は、再度読み込みが行なわれ、受信データ確認画面１３００は、受信データ１３０２の部分が変更される。もちろん、変更する受信モードとそれに対応するデータ登録が同一の場合は、受信データ１３０２の変化はない。もちろん、この受信データ確認画面１３００からの受信モードの再選定の作業は、回数を限定しない。
【０１２４】
以上、受信作業と受信モードの再選定後、［終了］ボタン１３０５で受信ツールを終了する。
【０１２５】
［データ削除］
データ削除の操作方法について説明する。
【０１２６】
本来のデータ削除の流れとしては、受信作業終了後の操作として定義するが、データ受信が終了しなくてもデータ削除は可能である。
【０１２７】
また、データ削除の操作はデータ承認と図９の管理データ確認画面を表示部１０３に表示するまでは同様に操作し、対象に対しては、図９の行９１１のように行全体、すなわち、管理データ１つがその対象として削除される。
【０１２８】
まず管理者が削除対象を決定し、その行の削除ボタン９１０を指示する。削除後は、対象となる行９１１が削除され、下段に登録のある行がつめられ、表示される。なお、削除操作の１つとして、対象である管理データの詳細情報を表示部１０３に表示し、その情報を管理者が確認、削除する。
【０１２９】
そして、この削除作業により、データ管理用コンピュータ１０９の記憶装置１０６上に保持する管理Ｄ／Ｂ ３０８の中から、管理データが削除されることになる。
【０１３０】
（第２の実施形態）
次に第１の実施形態の変更例を挙げ、第２の実施形態として説明する。
【０１３１】
第２の実施形態は、データ転送処理を他のツール上から処理する場合の実施形態であり、第１の実施形態で使用する情報入力ツールを使用せずに行なう形態である。なお、情報入力ツール以外の処理については、これまでのものと何ら変わるところはない。
【０１３２】
図１５は、工程を管理するワークフロー管理ツールである。ワークフロー管理ツール１５００において、１５０１は工程を表し、その中でも特に１５０２は、送信ツール３０２の実行を明示する工程である。
【０１３３】
ワークフロー管理ツールにおいて、工程１５０１を順次実行することにより、送信ツール３０２の実行が可能になる。その時、送信者は入力部１０８を利用し表示部１０３上の工程：送信ツール３０２を指示する。指示後、ワークフロー管理ツールはワークシロー管理ツールが保持する情報から、送信ツール３０２に必要な引数を付加し、実行する。ここで必要な引数というのは、情報入力ツールで入力する情報である。そして、これ以降の送信ツールなどの処理内容についても、舞存のものと何ら変わることがない。
【０１３４】
（第３の実施形態）
ここではネットワークを介した変更例を挙げ、第３の実施形態として説明する。
【０１３５】
図１６は、多拠点間データ転送装置の運用形態を表している。図１６（ａ）第１の実施形態でも説明してきた基本的な方法である。その内容説明については、省略する。
【０１３６】
図１６（ｂ）は、送信者、及び受信者がその回数を問わず、同一処理を実行することを示している。多拠点間データ転送装置１０１は、管理用コンピュータ１０９、及びその内部に管理Ｄ／Ｂ ３０８を有することにより、送信時には受信者の状態を問わず、送信者が同一のデータを複数回に渡って送信したり、異なるデータを連続して送信することが可能である。また同様に、受信時には送信者の状態を問わず、管理Ｄ／Ｂへの登録があれば連続して受信可能となる。
【０１３７】
図１６（ｃ）は、（ｂ）の形態を更に複数利用者間で行なう形態である。例えば、送信者Ａが、受信者Ｂ／受信者Ｃへ同時にデータを送信する場合、多拠点間データ転送装置１０１では送信者Ａはこれまでに説明した操作手頗に従い、送信操作を１回行なう。受信者Ｂ／受信者Ｃは、それぞれ受信操作を１回づつ行なうことでデータの転送が可能になる。
【０１３８】
また、他の例として、送信者Ａが受信者Ｂを対象にデータ送信を行ない、受信者Ｂがデータを受信する。送信後、受信者Ｃも送信者Ａのデータを獲得したいと考えた場合に、多拠点間データ転送装置では、必要な情報を受信者Ｃに与えることで、受信者Ｃは送信者Ａの送信操作なしで、前述する操作手順により、データ転送を可能とする。
【０１３９】
（第４の実施形態）
次に第１の実施形態の変吏例を挙げ、第４の実施形態として説明する。
【０１４０】
第４の実施形態は、データ受信時おけるデータ変換操作である。
【０１４１】
図１７の上段の式は、本実施形態のデータ変換式であり、下段の流れ図は送信順序と、データの流れである。変換式(1)は、データＡからデータＢを生成することを示す式であり、括弧内は変換コマンド（ツール）を示す。データＡは、変換コマンド：ｔｏｏｌＡＢを実行することでデータＢを生成する。他の式についても、同様のことが可能である。もちろん、このデータ変換式等の情報の持ち方、構成については他の方法で実現できることは言うまでもない。
【０１４２】
流れ図は、多拠点問データ転送装置１０１がデータＡをデータ変換し、受信者ヘデータＣとしてデータ転送する流れを示す。それぞれの手順を追うと、送信者から管理者へのデータ転送は既に述べてきた通りであり、送信するデータ自身を変換することはない。管理者の操作も前述の通りであり、この時点でデータＡの変更はない。送信者は、今回の場合受信データＣを指定する。データＣの受信依頼を受け取った受信ツール３０５では、管理情報３１０等の情報よりデータＣの存在をチェックする。チェック後、データＣが存在しない場合には、受信ツール３０５が認識する変換式に当てはめ、データＣを生成する変換式があるか確認を行なう。図１７において、データＣが存在しない場合には、変換式(2)に当てはめ、データＢというデータＣを生成するためのデータに着目する。そこでデータＣに変わって、データＢの存在確認を行なう。データＣ同様にデータの存在が確認できない場合には、先ほどと同じようにデータＢを生成する変換式を検索に行く。検索結果として確認した変換式(1)の情報より、データＣを生成するためには、データＡが存在すれば良いことになる。この場合、データＡは送信用コンピュータ１０２から管理用コンピュータ１０９に送信され、管理Ｄ／Ｂ３０８上に納められているから、データＡの存在は確認される。
【０１４３】
こうした一連の流れにより、受信ツール３０５は転送するための元データを確認でき、変換式を用いてデータＡからｔｏｏｌＡＢを使用し、データＢを生成し、データＢからｔｏｏｌＢＣを使用し、データＣを生成し、転送データであるデータＣを獲得する。それ以後のデータ受信方法については、これまでの方法と同様の方法によって、受信用コンピュータ１１０ヘデータＣを転送する。
【図面の簡単な説明】
【０１４４】
【図１】多拠点間データ転送装置のハードウエア構成図である。
【図２】多拠点間データ転送装置のネットワーク聞のハードウエア構成を示す概念図である。
【図３】多拠点間データ転送装置のシステム構成図を示す図である。
【図４】多拠点間データ転送装置で扱うデータ関係を示す図である。
【図５】多拠点間データ転送装置の全体の流れを示す図である。
【図６】情報入力ツールの画面を示す図である。
【図７】送信ツールと管理サーバツールのデータ通信の仕組みをイメージ化する図である。
【図８】管理ツールのログイン画面を示す図である。
【図９】管理ツールの管理データ確認画面を示す図である。
【図１０】受信ツールの受信ログイン画面を示す図である。
【図１１】受信ツールのアクセスキー・受信モード入力画面を示す図である。
【図１２】受信ツールの受信モード機能の仕組みを示す図である。
【図１３】受信ツールの受信データ確認画面を示す図である。
【図１４】受信データ表を示す図である。
【図１５】データ送信をワークフローから実現する実施例の図である。
【図１６】（ａ）〜（ｃ）は多拠点間データ転送装置の運用を示す図である。
【図１７】受信ツールにおけるデータ変換を確定する変換式を示す図である。
【符号の説明】
【０１４５】
１０１  多拠点間データ転送装置
１０２  データ送信用コンピュータ
１０３  表示部
１０４  ＣＰＵ
１０５  ＲＡＭ
１０６  記憶装置
１０７  ネットワーク制御部
１０８  入力部
１０９  データ管理用コンピュータ
１１０  データ受信用コンピュータ
１１１  ネットワーク
３０１  情報入力ツール
３０２  送信ツール
３０３  管理サーバツール
３０４  管理ツール
３０５  受信ツール
３０６  ＷＷＷブラウザ
３０７  送信データ
３０８  管理Ｄ・Ｂ
３０９  受信データ
３１０  管理情報
３１１  管理データ
【図１】
2010102631.tif 000003
【図２】
2010102631.tif 000004
【図３】
2010102631.tif 000005
【図４】
2010102631.tif 000006
【図５】
2010102631.tif 000007
【図６】
2010102631.tif 000008
【図７】
2010102631.tif 000009
【図８】
2010102631.tif 000010
【図９】
2010102631.tif 000011
【図１０】
2010102631.tif 000012
【図１１】
2010102631.tif 000013
【図１２】
2010102631.tif 000014
【図１３】
2010102631.tif 000015
【図１４】
2010102631.tif 000016
【図１５】
2010102631.tif 000017
【図１６】
2010102631.tif 000018
【図１７】
2010102631.tif 000019